(57)【要約】【課題】  本発明は、異径電線接続端子板に関し、異径電線を端子に対して容易に短時間で接続及び取り外しを行うことができ、かつ接続された異径電線が端子から外れることを防止することを課題とする。【解決手段】  第１の電線４０Ａを接続する第１のＵスリット端子３４と、第１のＵスリット端子３４の配設位置とは異なる鉛直方向の位置に設けられ、第１の電線の径の大きさとは異なる第２の電線４０Ｂを接続する第２のＵスリット端子３５と、第１及び第２の電線を挟持する電線挟持部３８とを設けた構成とする。【選択図】  図４
2005174650.tif 000002
【特許請求の範囲】
【請求項１】
第１の電線及び前記第１の電線の径の大きさとは異なる第２の電線をそれぞれ接続する端子とを有した異径電線接続端子板において、
前記端子は、前記第１の電線の径の大きさに対応した第１のＵスリット端子と、前記第２の電線の径の大きさに対応した第２のＵスリット端子とにより構成されていることを特徴とする異径電線接続端子板。
【請求項２】
前記第１のＵスリット端子が設けられた位置と、前記第２のＵスリット端子が設けられた位置との間には、鉛直方向に対して段差が設けられていることを特徴とする請求項１に記載の異径電線接続端子板。
【請求項３】
前記第１のＵスリット端子に接続された第１の電線と、前記第２のＵスリット端子に接続された第２の電線とをそれぞれ挟持する電線挟持部を設け、
前記電線挟持部は、
複数の突起部と、
前記複数の突起部により形成され、前記第１の電線を挟持する第１の溝部と、
前記複数の突起部により前記第１の溝部と隣り合う位置に形成された前記第２の電線を挟持する第２の溝部とを有しており、
前記第１の電線は、前記第１の溝部に対して着脱可能な構成とされ、前記第２の電線は、前記第２の溝部に対して着脱可能な構成とされていることを特徴とする請求項１または２に記載の異径電線接続端子板。
【発明の詳細な説明】
【技術分野】
【０００１】
本発明は、異径電線接続端子板に係り、特に、異径電線を端子に接続する異径電線接続端子板に関する。
【背景技術】
【０００２】
異径電線を接続するための従来の異径電線接続端子板としては、図１乃至図３に示すような端子板がある。図１乃至図３は、従来技術の異径電線接続端子板を示した図である。図１に示した異径電線接続端子板１０には、複数の半田付け用端子１１が設けられており、異径電線を半田付け用端子１１に半田付けすることで、結線が行われる端子板である。
【０００３】
図２に示した異径電線接続端子板１３には、複数のラッピング端子１４が設けられている。専用工具により異径電線は、ラッピング端子１４に巻きつけられ、この作業により結線される（例えば、非特許文献１参照）。図３に示した異径電線接続端子板１６には、複数のネジ型端子１７が設けられている。異径電線は、手動によりネジ型端子１７のネジ部分に巻きつけられ、結線される。
【非特許文献１】http://www.kawaguchidenki.co.jp/jp/product/c_kd_8000.html
【発明の開示】
【発明が解決しようとする課題】
【０００４】
しかしながら、図１に示した異径電線接続端子板１０の場合には、異径電線を半田溶着型端子１１に対して半田付けするため、結線作業に多くの時間を要するという問題があった。また、図２に示した異径電線接続端子板１３の場合には、専用工具を駆動させる際に電気が必要であるという問題と、ラッピング端子１４に巻きつけられた異径電線の取り外しが困難であるという問題があった。図３に示した異径電線接続端子板１６の場合には、一度、ネジを緩め、ネジ型端子１７のネジ部分に異径電線を巻きつけた後、再度、ネジを締めなければならないため、結線作業に時間を要するという問題があった。
【０００５】
本発明は、上述した問題点に鑑みなされたものであり、異径電線を端子に対して容易に短時間で接続及び取り外しを行うことのできる異径電線接続端子板を提供することを目的とする。
【課題を解決するための手段】
【０００６】
上記課題を解決するために本発明では、次に述べる各手段を講じたことを特徴とするものである。
【０００７】
請求項１記載の発明では、第１の電線及び前記第１の電線の径の大きさとは異なる第２の電線をそれぞれ接続する端子とを有した異径電線接続端子板において、
前記端子は、前記第１の電線の径の大きさに対応した第１のＵスリット端子と、前記第２の電線の径の大きさに対応した第２のＵスリット端子とにより構成されていることを特徴とする異径電線接続端子板により、解決できる。
【０００８】
上記発明によれば、第１の電線の径の大きさに対応した第１のＵスリット端子と、第２の電線の径の大きさに対応した第２のＵスリット端子とを設けることにより、従来技術と比較して、第１及び第２の電線を第１のＵスリット又は第２のＵスリットに対して、容易に短時間で接続及び取り外しを行うことができる。
【０００９】
請求項２記載の発明では、前記第１のＵスリット端子が設けられた位置と、前記第２のＵスリット端子が設けられた位置との間には、鉛直方向に対して段差が設けられていることを特徴とする請求項１に記載の異径電線接続端子板。
により、解決できる。
【００１０】
上記発明によれば、第１のＵスリット端子が設けられた位置と、第２のＵスリット端子が設けられた位置との間の鉛直方向に段差を設けることにより、第１の電線を接続する位置と、第２の電線を接続する位置とをずらすことができる。よって、結線作業を容易に行うことができる。
【００１１】
請求項３記載の発明では、前記第１のＵスリット端子に接続された第１の電線と、前記第２のＵスリット端子に接続された第２の電線とをそれぞれ挟持する電線挟持部を設け、前記電線挟持部は、複数の突起部と、前記複数の突起部により形成され、前記第１の電線を挟持する第１の溝部と、前記複数の突起部により前記第１の溝部と隣り合う位置に形成された前記第２の電線を挟持する第２の溝部とを有しており、前記第１の電線は、前記第１の溝部に対して着脱可能な構成とされ、前記第２の電線は、前記第２の溝部に対して着脱可能な構成とされていることを特徴とする請求項１または２に記載の異径電線接続端子板により、解決できる。
【００１２】
上記発明によれば、電線挟持部を設けることにより、第１のＵスリット端子に接続された第１の電線と、第２のＵスリット端子に接続された第２の電線とを第１の溝部又は第２の溝部に挟持して、第１及び第２の電線が外力を受けて第１のＵスリット端子又は第２のＵスリット端子から外れることを防止することができる。また、第１の電線を第１の溝部に対して着脱可能な構成とし、第２の電線を第２の溝部に対して着脱可能な構成とすることにより、第１及び第２の電線を容易に着脱することができる。
【発明の効果】
【００１３】
上述の如く本発明によれば、異径電線を端子に対して容易に短時間で接続及び取り外しを行うことができ、かつ接続された異径電線が端子から外れることを防止できる異径電線接続端子板を提供することを目的とする。
【発明を実施するための最良の形態】
【００１４】
まず、本発明における本実施例の異径電線接続端子板について説明する。始めに、本実施例の異径電線接続端子板３０の構成について説明する。図４は本発明の本実施例の異径電線接続端子板の斜視図であり、図５は本実施例の異径電線接続端子板の平面図である。
【００１５】
異径電線接続端子板３０は、大略すると第１乃至第３のＵスリット端子３４〜３６と、複数の溝形成用突起部３２とにより構成されている。なお、複数の溝形成用突起部３２は、請求項３に記載の「複数の突起部」のことである。また、Ｕスリット端子３４〜３６とは、Ｕ字型のモールド部分に電気的接続可能なＵスリット３４Ａ〜３６Ａ（溝部）を有したものであり、このＵスリット３４Ａ〜３６Ａに電線を挿入することで、電線の被覆材が破れ、電線とＵスリット３４Ａ〜３６Ａとの間が電気的に接続される。
【００１６】
入口側の端子である第１のＵスリット端子３４は、面３１Ａの図４中の上方の端部に並列に複数個設けられている。第１のＵスリット端子３４には、第１の電線４０Ａを接続するための第１のＵスリット３４Ａが設けられている。第１の電線４０Ａには、例えば、直径が０．４〜０．６５ｍｍのものを用いることができる。この場合、第１のＵスリット３４Ａには、０．４〜０．６５ｍｍの直径を有する第１の電線４０Ａを接続可能なＵスリットを用いることができる。
【００１７】
入口側の端子である第２のＵスリット端子３５は、第１のＵスリット端子３４の図４中の右側に、並列に複数個設けられている。第２のＵスリット端子３５には、第１の電線４０Ａの径の大きさとは異なる第２の電線４０Ｂを接続するための第２のＵスリット３５Ａが備えられている。第２の電線４０Ｂには、例えば、直径が０．９ｍｍのものを用いることができる。この場合、第２のＵスリット３５Ａには、０．９ｍｍの直径を有する第２の電線４０Ｂを接続可能なＵスリットを用いることができる。
【００１８】
このように、径の大きさの異なる第１及び第２の電線４０Ａ、４０Ｂを接続するための端子として、第１及び第２のＵスリット端子３４，３５を用いることにより、異径電線を端子に半田付け、ネジ止め等により結線する従来技術と比較して、第１及び第２の電線４０Ａ、４０Ｂを容易に接続及び取り外しを行うことができ、結線作業に要する時間を短縮することができる。
【００１９】
また、第１のＵスリット端子３４が設けられた位置と、第２のＵスリット端子３５が設けられた位置との間には、図４の鉛直方向に対して段差が設けられており、第２のＵスリット端子３５は、第１のＵスリット端子３４が設けられた位置よりも高い位置（図４中の上方）に設けられている。
【００２０】
このように、第２のＵスリット端子３５を、図４中の鉛直方向に対して、第１のＵスリット端子３４よりも高い位置（図４中の上方）に設けることで、第１の電線４０Ａを接続する第１のＵスリット３４Ａの位置と、第２の電線４０Ｂを接続する第２のＵスリット３５Ａの位置とを鉛直方向にずらすことができる。これにより、第１及び第２の電線４０Ａ，４０Ｂの結線作業を容易に行うことができる。
【００２１】
出口側の端子である第３のＵスリット端子３６は、面３１Ｂの図４中の上方の端部に並列に複数個設けられている。第３のＵスリット端子３６には、図５に示した第３の電線３９を接続するための第３のＵスリット３６Ａが設けられている。
【００２２】
図４に示すように、面３１Ａには、複数の溝形成用突起部３２と、複数の凸部３３とにより構成される電線挟持部３８が並列に複数個設けられている。電線挟持部３８は、第１の電線４０Ａと第２の電線４０Ｂとをそれぞれ別々に挟持するためのものである。図６は、図４に示した電線挟持部の拡大図であり、図７は、図４に示した電線挟持部をＡ視した図である。なお、図７を参照して、電線挟持部３８の説明を分かりやすくするために、図４中で示した溝形成用突起部３２を図７では溝形成用突起部３２ａ〜３２ｃとして符号を付す。
【００２３】
図７に示すように、電線挟持部３８は、具体的には３つの溝形成用突起部３２ａ〜３２ｃと、４つの凸部３３とにより構成されている。溝形成用突起部３２ａと溝形成用突起部３２ｂとの間には、幅Ｈ１を有した第１の溝部３７Ａが形成されており、溝形成用突起部３２ａと溝形成用突起部３２ｂとが対向する面には、それぞれ凸部３３が設けられている。第１の溝部３７Ａに第１の電線４０Ａを装着することで、第１の電線４０Ａは電線挟持部３８により挟持される。
【００２４】
溝形成用突起部３２ｂと溝形成用突起部３２ｃとの間には、幅Ｈ２を有した第２の溝部３７Ｂが形成されており、溝形成用突起部３２ｂと溝形成用突起部３２ｃとが対向する面には、それぞれ凸部３３が設けられている。第２の溝部３７Ｂに第２の電線４０Ｂを装着することで、第２の電線４０Ｂは電線挟持部３８により挟持される。なお、幅Ｈ１は第１の電線４０Ａを装着可能な幅に設定されており、幅Ｈ２は、第２の電線４０Ｂを装着可能な幅に設定されている。
【００２５】
このような構成の電線挟持部３８を設けることにより、第１のＵスリット３４Ａに接続された第１の電線４０Ａと、第２のＵスリット３５Ａに接続された第２の電線４０Ｂとを挟持することができる。これにより、第１及び第２の電線４０Ａ，４０Ｂが振動等の外力を受けて変位することを防ぐことができ、Ｕスリット３４Ａ，３４Ｂから第１及び第２の電線４０Ａ，４０Ｂが外れることを防止できる。また、図５に示すように、面３１Ｂには第３の電線３９を挟持するための電線挟持部４２を設けることで、第３のＵスリット３６Ａから第３の電線３９が外れることを防止することができる。
【００２６】
以上本発明の好ましい実施例について詳述したが、本発明は係る特定の実施例に限定されるものではなく、特許請求の範囲に記載された本発明の要旨の範囲内において、種々の変形、変更が可能である。なお、本実施例の異径電線接続端子板３０では、幅の異なる２種類のＵスリット３４Ａ，３５Ａを設け、入口側の電線として径の異なる第１及び第２の電線４０Ａ，ｎ４０ＢをＵスリット３４Ａ，３５Ａに接続する場合を例に挙げて説明したが、幅の異なるＵスリットを有したＵスリット端子を２種類以上設け、２種類以上の径の異なる電線をＵスリットに接続するような構成にしても良い。このような構成の異径電線接続端子板においても、本実施例と同様な効果を得ることができる。また、出口側のＵスリット端子を２種類以上設け、異径電線を接続する構成にしても良い。さらに、Ｕスリットのスリット部分の形状は、本実施例の形状に限定されない。
【産業上の利用可能性】
【００２７】
異径電線を端子に対して接続する異径電線接続端子板に適用できる。
【図面の簡単な説明】
【００２８】
【図１】従来技術の異径電線接続端子板を示した図（その１）である。
【図２】従来技術の異径電線接続端子板を示した図（その２）である。
【図３】従来技術の異径電線接続端子板を示した図（その３）である。
【図４】本発明の本実施例の異径電線接続端子板の斜視図である。
【図５】本実施例の異径電線接続端子板の平面図である。
【図６】図４に示した電線挟持部の拡大図である。
【図７】図４に示した電線挟持部をＡ視した図である。
【符号の説明】
【００２９】
１０、１３、１６、３０  異径電線接続端子板
１１  半田付け用端子
１４  ラッピング端子
１７  ネジ型端子
３１Ａ、３１Ｂ  側面部
３２、３２ａ〜３２ｃ  溝形成用突起部
３３  凸部
３４  第１のＵスリット端子
３４Ａ  第１のＵスリット
３５  第２のＵスリット端子
３５Ａ  第２のＵスリット
３６  第３のＵスリット端子
３６Ａ  第３のＵスリット
３７Ａ  第１の溝部
３７Ｂ  第２の溝部
３８、４２  電線挟持部
３９  第３の電線
４０Ａ  第１の電線
４０Ｂ  第２の電線
Ｈ１、Ｈ２  幅
【図１】
2005174650.tif 000003
【図２】
2005174650.tif 000004
【図３】
2005174650.tif 000005
【図４】
2005174650.tif 000006
【図５】
2005174650.tif 000007
【図６】
2005174650.tif 000008
【図７】
2005174650.tif 000009